(57)【要約】   【課題】建築物の外壁本体の出隅部に設けられる一対の外装パネルの端部を覆う外装パネル用役物の取付と取外しが容易にできる外装パネル用役物の取付冶具を提供する。  【解決手段】外装パネル用役物１は、外壁本体２の出隅部３に設けられる一対の外装パネル４を覆うベース材６とカバー材５で構成される。ベース材６は外壁本体２に固着される一対の第一板面部６ａと、その一端部６ｂから対称軸Ｓに平行な一対の第二板面部６ｃの先端部６ｄに爪受部６ｅが形成される。カバー材５は頂部Ｒを形成する一対の第三板面部５ａの一端部５ｂで折返して一対の第四板面部５ｃが形成され、さらに対称軸Ｓに沿って一対の第五板面部５ｄとその先端部５ｅに一対の爪部５ｆが形成される。カバー材５の爪部５ｆをベース材６の爪受部６ｅに取付ける取付冶具１０は、一対の傾斜面１０ａが挟角θ２＝９０度で形成され、傾斜面１０ａが凸状曲面形状で形成される。【選択図】  図１
2009263920.tif 000002
【特許請求の範囲】
【請求項１】
建築物の外壁本体の出隅部に設けられる一対の外装パネルの端部を覆うベース材とカバー材から成る長尺の外装パネル用役物の取付冶具であって、
前記外装パネル用役物の断面形状は左右対称形で、前記ベース材は外壁本体に固着される一対の第一板面部と、第一板面部の一端部から対称軸に平行な一対の第二板面部と、第二板面部の先端部が前記対称軸側に鋭角に折曲げられてから前記対称軸から離れる方向に折返して成る一対の爪受部と、この一対の爪受部の基部を連結して成る凹部と、がそれぞれ連続して一枚板で形成され、
前記カバー材は、前記一対の外装パネルの端部を覆い前記対称軸にそれぞれ鋭角に交わって頂部を形成する一対の第三板面部と、各第三板面部の一端部で折返して前記頂部の近傍まで第三板面部に沿う一対の第四板面部と、第四板面部から前記対称軸に沿って形成される一対の第五板面部と、この一対の第五板面部から前記対称軸から離れる方向に鋭角に折返して成る一対の爪部と、がそれぞれ連続して一枚板で形成され、
前記カバー材の爪部を前記ベース材の凹部に挿入して前記爪受部に取付ける取付冶具が、前記一対の第三板面部に対応する一対の傾斜面を備えることを特徴とする外装パネル用役物の取付冶具。
【請求項２】
請求項１に記載の外装パネル用役物の取付冶具であって、前記一対の傾斜面は凸状曲面形状で形成されることを特徴とする外装パネル用役物の取付冶具。
【請求項３】
請求項１又は請求項２に記載の外装パネル用役物の取付冶具であって、前記一対の傾斜面で形成される隅部に前記第三板面部の頂部との接触を回避する凹部が形成されることを特徴とする外装パネル用役物の取付冶具。
【請求項４】
請求項１乃至請求項３のいずれか一項に記載の外装パネル用役物の取付冶具であって、前記一対の傾斜面の裏側に空洞が形成されることを特徴とする外装パネル用役物の取付冶具。
【発明の詳細な説明】
【技術分野】
【０００１】
本発明は、建築物の外壁本体の出隅部に設けられる一対の外装パネルの端部を覆う外装パネル用役物の取付冶具に関し、特に、外装パネル用役物のベース材にカバー材を確実で容易に取付且つ取外しできる技術に関する。
【背景技術】
【０００２】
従来、外壁本体の出隅部に外装パネルを取付ける場合に、一対の外装パネルの端部を覆う外装パネル用役物が用いられる。このような外装パネル用役物として特許文献１の記載が知られている。特許文献１によれば、図４に示すように、外装パネル用役物Ａは、カバー材４１とベース材４２とからなり、カバー材４１の背面側には、嵌挿部４５が突設され、ベース材４２には、その外側角部を挟んで相対向する一対の係止片４６が突設される。
【０００３】
係止片４６、４６は略中央部において連結リブ２１１で連結されて係止凹部４７を形成し、この係止凹部４７に嵌挿部４５が内嵌する。また、係止凹部４７内の連結リブ２１１よりカバー材側に一対の第１係止リブ２１２と第２係止リブ２１３が対設されている。一方、嵌挿部４５は基部１１１を介して２本に分岐した脚部１１２を有し、脚部１１２の先端は係止凹部４７内に対設された第２係止リブ２１３と係止する係止用爪部１１３を備える。
【０００４】
嵌挿部４５の２本の脚部１１２の係止用爪部１１３、１１３をベース材４２の第１係止リブ２１２、２１２間に挿入し、カバー材４１の嵌挿部４５を係止凹部４７に内嵌して、脚部１１２の係止用爪部１１３を第２係止リブ２１３に係止させることで、カバー材４１をベース材４２に取付けることができる。なお、カバー材４１の頂部フラット部Ｂを叩くことで嵌挿部４５を係止凹部４７内に容易に挿入することができる。
【特許文献１】特開２００５−２０７１５５号公報
【発明の開示】
【発明が解決しようとする課題】
【０００５】
ところが、図５に示すように、建築物の外壁本体の出隅部に設けられる一対の外装パネル５１の端部を覆う長尺の一対のベース材５２とカバー材５３から成る外装パネル用役物５４において、カバー材５３の頂部５５が尖がっている場合がある。この場合、前記ベース材５２の一対の爪受部５２ａに前記カバー材５３の爪部５３ａを係止するために、対称軸Ｋに沿った方向に頂部５５を素手で叩くと手が損傷する恐れがあった。また、手が損傷するのを回避するために当て木５６を用いる場合は、当て木５６は頂部５５の損傷を避けるため片側のカバー材５３に宛がってその中心部Ｋ１をハンマー等で叩くことになる。この場合、爪部５３ａを爪受部５２ａに挿入係止させるのは熟練の技術が必要となるため作業効率が低下するという問題があった。また、施工ミス等で一度取付けたカバー材５３を取外すことも至難であった。
【０００６】
そこで、本発明は、建築物の外壁本体の出隅部に設けられる一対の外装パネルの端部を覆う外装パネル用役物の取付と取外しが容易にできる外装パネル用役物の取付冶具を提供することを目的とする。
【課題を解決するための手段】
【０００７】
請求項１の発明は、建築物の外壁本体の出隅部に設けられる一対の外装パネルの端部を覆うベース材とカバー材から成る長尺の外装パネル用役物の取付冶具であって、前記外装パネル用役物の断面形状は左右対称形で、前記ベース材は外壁本体に固着される一対の第一板面部と、第一板面部の一端部から対称軸に平行な一対の第二板面部と、第二板面部の先端部が前記対称軸側に鋭角に折曲げられてから前記対称軸から離れる方向に折返して成る一対の爪受部と、この一対の爪受部の基部を連結して成る凹部と、がそれぞれ連続して一枚板で形成されることを特徴としている。そして、前記カバー材は、前記一対の外装パネルの端部を覆い前記対称軸にそれぞれ鋭角に交わって頂部を形成する一対の第三板面部と、各第三板面部の一端部で折返して前記頂部の近傍まで第三板面部に沿う一対の第四板面部と、第四板面部から前記対称軸に沿って形成される一対の第五板面部と、この一対の第五板面部から前記対称軸から離れる方向に鋭角に折返して成る一対の爪部と、がそれぞれ連続して一枚板で形成されることを特徴としている。このため、前記カバー材の爪部を前記ベース材の凹部に挿入して前記爪受部に取付ける取付冶具が、前記一対の第三板面部に対応する一対の傾斜面を備えるので、取付冶具を叩くことによって取付冶具の一対の傾斜面によってカバー材の前記一対の第三板面部を同時に対称的に押付けることができる。
【０００８】
請求項２の発明は、請求項１に記載の外装パネル用役物の取付冶具であって、前記一対の傾斜面は凸状曲面形状で形成されることを特徴としている。
【０００９】
請求項３の発明は、請求項１又は請求項２に記載の外装パネル用役物の取付冶具であって、前記一対の傾斜面で形成される隅部に前記第三板面部の頂部との接触を回避する凹部が形成されることを特徴としている。
【００１０】
請求項４の発明は、請求項１乃至請求項３のいずれか一項に記載の外装パネル用役物の取付冶具であって、前記一対の傾斜面の裏側に空洞が形成されることを特徴としている。
【発明の効果】
【００１１】
請求項１の発明によれば、取付冶具を叩くことによって取付冶具の一対の傾斜面によってカバー材の前記一対の第三板面部を同時に対称的に押付けることができるため、カバー材は損傷することなく容易に対称軸に沿って移動し前記カバー材の爪部は前記ベース材の凹部に挿入して前記爪受部に確実に取付けることができる。
【００１２】
請求項２の発明によれば、前記一対の傾斜面は凸状曲面形状で形成されるので、取付冶具の一方の傾斜面をカバー材の一方の第三板面部に当接して叩くことによって一方の凸状曲面形状の傾斜面によって前記カバー材の一方の第三板面部と第四板面部に湾曲する力が与えられる。このため、一方の第五板面部とこの一方の第五板面部に連結する一方の爪部とが湾曲するので、一方の爪部が一方の爪受部から離脱して、カバー材をベース材から容易に取外すことができる。
【００１３】
請求項３の発明によれば、前記取付冶具の一対の傾斜面で形成される隅部に前記第三板面部の頂部との接触を回避する凹部が形成されるので、取付冶具を叩いて取付冶具の一対の傾斜面をカバー材の前記一対の第三板面部に押付ける際に、第三板面部の頂部に接触しないので第三板面部の頂部の損傷が回避できる。
【００１４】
請求項４の発明によれば、前記取付冶具の一対の傾斜面の裏側に空洞が形成されるので、取付冶具の重量が軽減できて取扱容易になるので現場作業性が向上する。
【発明を実施するための最良の形態】
【００１５】
以下に、本発明の第１の実施形態を図１〜図２に基づいて説明する。
【００１６】
＜外装パネル用役物の取付冶具の構成＞
図１に示すように、本発明の外装パネル用役物１は、建築物の外壁本体２の出隅部３に設けられる一対の外装パネル４の端部４ａを覆う長尺のベース材６とカバー材５で構成される。外装パネル用役物１の断面形状は左右対称形に形成され、一対の外装パネル４の端部４ａ間の目地を保護して意匠性を向上するとともに防水性を向上させるものである。
【００１７】
ベース材６は一枚板で連続して形成され、外壁本体２に固着される一対の第一板面部６ａの一端部６ｂから対称軸Ｓに平行な一対の第二板面部６ｃが形成される。この第二板面部６ｃの先端部６ｄが対称軸Ｓ側に鋭角に折曲げられ、さらに対称軸Ｓから離れるように折返して一対の爪受部６ｅを形成する。この一対の爪受部６ｅの基部６ｆを連結して台形状の凹部Ｑが形成される。一対の第一板面部６ａが図示しないビス等を介して外壁本体２に取付けられる。
【００１８】
カバー材５は一枚板で連続して形成され、一対の第三板面部５ａが一対の外装パネル４の端部４ａを覆うとともに対称軸Ｓにそれぞれ鋭角に交わって挟角θ１＝９０度の頂部Ｒを形成する。各第三板面部５ａの一端部５ｂで頂部Ｒの内部側に折返して頂部Ｒの近傍まで第三板面部５ａに沿って一対の第四板面部５ｃが形成される。
【００１９】
次に、第四板面部５ｃから対称軸Ｓに沿って一対の第五板面部５ｄが形成され、この一対の第五板面部５ｄの先端部５ｅに対称軸Ｓから離れる方向に鋭角に折返して成る一対の爪部５ｆが形成される。
【００２０】
カバー材５の爪部５ｆをベース材６の凹部Ｑに挿入して爪受部６ｅに係止する際に、カバー材５の第三板面部５ａを対称軸Ｓに沿って押込むために取付冶具１０が用いられる。取付冶具１０の断面形状は、幅Ｌ１、高さＬ２の矩形形状で、一対の第三板面部５ａに対応して一対の傾斜面１０ａが対称軸Ｓを中心にして挟角θ２＝９０度で形成され、一対の傾斜面１０ａは凸状曲面形状で形成される。取付冶具１０の材質は木製や樹脂材が用いられる。
【００２１】
なお、外装パネル４は断熱性、遮音性等を目的として、断熱材の両側から薄肉の金属板で被覆してなる金属サイディング等が用いられる。複数の外装パネル４は外壁本体２の下から上に向かって順番に横張りで組付ける場合と左右方向に縦張りで取付ける場合とがある。また、図示しない胴縁を介して取付けることもある。
【００２２】
カバー材５とベース材６は板厚が０．３５ｍｍの薄板鋼板の両表面にアルミ・亜鉛合金メッキを施し、板金加工により連続して一体的に形成される。さらに、カバー材５は表面側にフッ素樹脂塗装、裏面側にポリエステル樹脂塗装が施される。
【００２３】
＜外装パネル用役物の取付冶具の作用＞  
取付冶具１０を対称軸Ｓに沿った方向に叩くことによって、一対の傾斜面１０ａがカバー材５の一対の第三板面部５ａを押込むので、爪部５ｆがベース材６の爪受部６ｅを押し広げるので第二板面部６ｃが弾性的に開脚し、爪部５ｆが爪受部６ｅに挿入すると同時に第二板面部６ｃが自然状態に戻り、爪部５ｆを爪受部６ｅに確実に係止することができる。なお、取付冶具１０の凸状曲面形状の傾斜面１０ａによって押付けられたカバー材５の第三板面部５ａ及び第四板面部５ｃに湾曲する力が与えられるので、一対の第五板面部５ｄと爪部５ｆの間隔が狭くなるので、挿入時の爪部５ｆは爪受部６ｅに挿入し易くなる。
【００２４】
このように、取付冶具１０を介してカバー材５の一対の第三板面部５ａを押込みことができるので、作業者の手が頂部Ｒに直接触れないため安全で作業性が向上する。
【００２５】
さらに、爪部５ｆを爪受部６ｅから離脱させてカバー材５をベース材６から取外す場合には、図２に示すように、取付冶具１０をカバー材５に被せた状態で取付冶具１０を矢印Ｐ１で示すように横方向から叩くと、一方の凸状曲面形状の傾斜面１０ａによって押付けられたカバー材５の一方の第三板面部５ａ及び第四板面部５ｃに湾曲する力が与えられる。このため、一方の第五板面部５ｄと爪部５ｆとがＰ２方向に回転して対称軸Ｓに近づく方向に振れるので、一方の爪部５ｆは一方の爪受部６ｅから離脱してカバー材５をベース材６から容易に取外すことができる。
【００２６】
＜第２の実施形態＞
本発明の第２の実施形態を図３を用いて説明するが、図１、図２に示す外装パネル用役物の取付冶具の構成と同構成部分については、図面に同符号を付して重複した説明を省略する。
【００２７】
図３に示すように、外装パネル用役物の取付冶具１０は、一対の傾斜面１０ａで形成される隅部Ｒ１に第三板面部５ａの頂部Ｒとの接触を回避する矩形の凹部Ｗ１が形成される。このため、取付冶具１０を一対の第三板面部５ａに押付ける際に、第三板面部５ａの頂部Ｒに接触しないので頂部Ｒの損傷を回避できる。
【００２８】
また、一対の傾斜面１０ａの裏側に円形状の空洞Ｗ２が形成されるので、取付冶具１０の重量が軽減できて取扱容易になる事に加えて、取付冶具１０を作業時に叩くときの振動が空洞Ｗ２で分散吸収されるので作業者の手に与える振動を緩和できるので作業環境が向上する。
【００２９】
以上、本発明の実施例を図面に基づいて説明したが、具体的な構成はこの実施例に限られるものではなく本発明の要旨を逸脱しない範囲の設計変更等があっても本発明に含まれる。
【００３０】
例えば、取付冶具１０の幅Ｌ１、高さＬ２の外観視矩形断面形状は、一対の傾斜面１０ａを除く他の三辺が一対の傾斜面１０ａを覆うように弧状に形成してもよい。一対の傾斜面１０ａで形成される隅部Ｒ１の凹部Ｗ１の形状は弧状に形成すれば取付冶具１０を叩く時の衝撃による凹部Ｗ１の奥隅におけるクラック発生の防止に寄与できる。
【図面の簡単な説明】
【００３１】
【図１】本発明の第１の実施形態における、建築物の外壁本体２の出隅部３に設けられる一対の外装パネル４の端部４ａを覆うベース材６とカバー材５から成る外装パネル用役物１と取付冶具１０の断面図である。
【図２】本発明の第１の実施形態における、ベース材６からカバー材５を取外す状態を示す外装パネル用役物１と取付冶具１０の断面図である。
【図３】本発明の第２の実施形態における、取付冶具１０の断面図である。
【図４】従来の、建築物の外壁本体に設けられる一対の外装パネルの端部を覆うベース材４２とカバー材４１から成る外装パネル用役物Ａの断面図である。
【図５】従来の、他の建築物の外壁本体に設けられる一対の外装パネル５１の端部を覆うベース材５２とカバー材５３から成る外装パネル用役物５４の断面図である。
【符号の説明】
【００３２】
１  外装パネル用役物
２  外壁本体
３  出隅部
４  外装パネル
５  カバー材
５ａ  第三板面部
５ｂ  一端部
５ｃ  第四板面部
５ｄ  第五板面部
５ｅ  先端部
５ｆ  爪部
６  ベース材
６ａ  第一板面部
６ｂ  一端部
６ｃ  第二板面部
６ｄ  先端部
６ｅ  爪受部
１０  冶具
１０ａ  傾斜面
Ｒ  頂部
Ｓ  対称軸
【図１】
2009263920.tif 000003
【図２】
2009263920.tif 000004
【図３】
2009263920.tif 000005
【図４】
2009263920.tif 000006
【図５】
2009263920.tif 000007